(57)【要約】      （修正有）【課題】シール装置のスリーブを容易に取り外すことができる流体機械を提供する。【解決手段】スクリュ圧縮機１は、スクリュロータ本体１６ａを収容するロータ室Ｓ１を画定するロータケーシング１０と、スクリュロータ本体１６ａからロータケーシング１０を貫通して延びる軸部１６ｃと、ロータ室Ｓ１外で軸部１６ｃを回転可能に支持する軸受１８と、軸部１６ｃの径方向に間隔をおいて軸部１６ｃの周囲に配置される筒状部材であり、軸部１６ｃの軸方向において軸受１８に対してロータ室Ｓ１と反対側に配置され、軸受１８の移動を規制する軸受カバー１９と、軸部１６ｃに締まり嵌めによって嵌合される筒状部材であるスリーブ２２と、軸受カバー１９とスリーブ２２との間を軸封するリップシール２３とを備える。スリーブ２２には、軸方向において軸受１８のある側と反対側の部分に、径方向の段差を有する段差部が設けられている。【選択図】図１
2019065718.tif 000002
【特許請求の範囲】
【請求項１】
スクリュロータ本体を収容するロータ室を画定するロータケーシングと、
前記スクリュロータ本体から前記ロータケーシングを貫通して延びる軸部と、
前記ロータ室外で前記軸部を回転可能に支持する軸受と、
前記軸部の径方向に間隔をおいて当該軸部の周囲に配置される筒状部材であり、前記軸部の軸方向において前記軸受に対して前記ロータ室と反対側に配置され、前記軸受の移動を規制する軸受カバーと、
前記軸部に締まり嵌めによって嵌合される筒状部材であるスリーブと、
前記軸受カバーと前記スリーブとの間を軸封するリップシールとを備え、
前記スリーブには、前記軸方向において前記軸受のある側と反対側の部分に、前記径方向の段差を有する段差部が設けられている、流体機械。
【請求項２】
前記段差部は、前記径方向内側へ凹の形状を有する凹部である、請求項１に記載の流体機械。
【請求項３】
前記段差部は、前記径方向外側へ凸の形状を有する凸部である、請求項１に記載の流体機械。
【請求項４】
前記軸受カバーを前記軸方向に引き抜く際、前記凸部の高さは、前記軸受カバーと当接する高さである、請求項３に記載の流体機械。
【請求項５】
前記凸部の高さは、前記凸部の前記軸方向において前記軸受のある側の面が前記軸受カバーと当接することのできる高さである、請求項３に記載の流体機械。
【請求項６】
前記凸部は、前記軸受カバーを前記軸方向に引き抜く際、前記凸部の前記軸方向において前記軸受のある側の面が前記軸受カバーと当接する位置に、設けられる、請求項３に記載の流体機械。
【請求項７】
前記リップシールと前記軸受カバーとを一緒に引き抜くことを可能にする取出部材をさらに備え、
前記取出部材は、前記軸受カバーに取り付けられており、前記軸方向において前記リップシールに対して前記ロータ室と同じ側に配置され、前記軸受カバーとともに前記軸方向に移動して前記リップシールと当接する、請求項４から請求項６のいずれか１項に記載の流体機械。
【請求項８】
前記軸受カバーは、前記ロータケーシングに取り付けられるためのフランジ部を有し、
前記フランジ部には、前記軸受カバーを前記ロータケーシングから前記軸方向へ取り外すための押しボルト用のねじ孔が設けられている、請求項４から請求項７のいずれか１項に記載の流体機械。
【請求項９】
請求項１から請求項６のいずれか１項に記載の流体機械が備えているスリーブの取り外し方法であって、
前記スリーブの前記段差部に引掛具を引掛け、前記引掛具を前記軸方向に引っ張ることで前記スリーブを引き抜く、スリーブの取り外し方法。
【請求項１０】
スクリュロータ本体を収容するロータ室を画定するロータケーシングと、
前記スクリュロータ本体から前記ロータケーシングを貫通して延びる軸部と、
前記ロータ室外で前記軸部を回転可能に支持する軸受と、
前記軸部の径方向に間隔をおいて当該軸部の周囲に配置される筒状部材であり、前記軸部の軸方向において前記軸受に対して前記ロータ室と反対側に配置され、前記軸受の移動を規制する軸受カバーと、
前記軸部に締まり嵌めによって嵌合される筒状部材であるスリーブと、
前記軸受カバーと前記スリーブとの間を軸封するリップシールとを備え、
前記スリーブには、前記軸方向において前記軸受のある側と反対側の部分に、前記径方向の段差を有する段差部が設けられており、
前記段差部は、前記径方向外側へ凸の形状を有する凸部であり、
前記凸部は、前記軸受カバーを前記軸方向に引き抜く際、前記凸部の前記軸方向において前記軸受のある側の面が前記軸受カバーと当接する位置に、設けられており、
前記リップシールと前記軸受カバーとを一緒に引き抜くことを可能にする取出部材をさらに備え、
前記取出部材は、前記軸受カバーに取り付けられており、前記軸方向において前記リップシールに対して前記ロータ室と同じ側に配置され、  前記軸受カバーは、前記ロータケーシングに取り付けられるためのフランジ部を有し、
前記フランジ部には、前記軸受カバーを前記ロータケーシングから前記軸方向へ取り外すための押しボルト用のねじ孔が設けられている、流体機械におけるスリーブの取り外し方法であって、
前記押しボルト用のねじ孔に押しボルトを挿入することで、前記軸受カバーと前記ロータケーシングとの間の隙間を拡げ、
前記隙間に引掛具を引掛け、前記引掛具を前記軸方向に引っ張ることで、前記軸受カバーを前記軸方向に引っ張り、前記軸受カバーの移動に伴って前記取出部材が前記リップシールと当接して前記リップシールを前記軸受カバーとともに前記軸方向に移動させ、
前記軸受カバーを前記軸方向に移動させることで、前記軸受カバーを前記スリーブの前記凸部と当接させ、前記軸受カバーと前記リップシールと前記スリーブとを一緒に取り外す、スリーブの取り外し方法。
【請求項１１】
スクリュロータ本体を収容するロータ室を画定するロータケーシングと、
前記スクリュロータ本体から前記ロータケーシングを貫通して延びる軸部と、
前記ロータ室外で前記軸部を回転可能に支持する軸受と、
前記軸部の径方向に間隔をおいて当該軸部の周囲に配置される筒状部材であり、前記軸部の軸方向において前記軸受に対して前記ロータ室と反対側に配置され、前記軸受の移動を規制する軸受カバーと、
前記軸部に締まり嵌めによって嵌合される筒状部材であるスリーブと、
前記軸受カバーと前記スリーブとの間を軸封するリップシールとを備え、
前記スリーブには、前記軸方向において前記軸受のある側と反対側の部分に、前記径方向の段差を有する段差部が設けられており、
前記段差部は、前記径方向外側へ凸の形状を有する凸部であり、
前記凸部は、前記軸受カバーを前記軸方向に引き抜く際、前記凸部の前記軸方向において前記軸受のある側の面が前記軸受カバーと当接する位置に、設けられており、
前記リップシールと前記軸受カバーとを一緒に引き抜くことを可能にする取出部材をさらに備え、
前記取出部材は、前記軸受カバーに取り付けられており、前記軸方向において前記リップシールに対して前記ロータ室と同じ側に配置され、
前記軸受カバーは、前記ロータケーシングに取り付けられるためのフランジ部を有し、
前記フランジ部には、前記軸受カバーを前記ロータケーシングから前記軸方向へ取り外すための押しボルト用のねじ孔が設けられている、流体機械における前記スリーブの取り外す方法であって、
前記押しボルト用のねじ孔に押しボルトを挿入することで、前記軸受カバーを前記軸方向へ移動させ、
前記軸受カバーの移動に伴って前記取出部材が前記リップシールと当接して前記リップシールを前記軸受カバーとともに前記軸方向に移動させ、
前記軸受カバーを前記軸方向に移動させることで、前記軸受カバーを前記スリーブの前記凸部と当接させ、前記軸受カバーと前記リップシールと前記スリーブとを一緒に取り外す、スリーブの取り外し方法。
【発明の詳細な説明】
【技術分野】
【０００１】
本発明は、流体機械およびそのスリーブの取り外し方法に関する。
【背景技術】
【０００２】
流体機械の一例であるスクリュ圧縮機では、軸部がロータ室の外部まで延びているため、ロータ室を画定するロータケーシングに貫通孔が設けられる。そのため、貫通孔を通じてロータ室の内部から外部へ流体が漏出することを防止するためにシール装置が必要である。そのようなシール装置を備えたスクリュ圧縮機が、例えば特許文献１に開示されている。
【０００３】
特許文献１のスクリュ圧縮機では、低圧側の軸受と電動機との間にシール装置が配置されている。このシール装置は、メンテナンス性向上の観点から、ロータケーシングに対して着脱可能な軸受カバーに収容されている。即ち、メンテナンスの際には、軸受カバーを取り外し、シール装置を交換できる。
【０００４】
スクリュ圧縮機のシール装置の例としては、非接触型シールまたは接触型シール等が挙げられる。特に近年、接触型のシールとして、耐久性能、高速性能、および耐圧性能に優れ、かつ、安価であるテフロン（登録商標）のリップシールが主流となっている。この材質は、テフロン（登録商標）にカーボンやガラス等の充填材を入れたものである。この材質は、リップシールの耐摩耗性を向上させる一方、リップシールの相手材（軸部材）を摩耗させることがある。そこで、リップシールの接触する相手（軸部）には、焼き入れ鋼または軸受鋼等の硬度の高いスリーブが設置されることが多い。
【先行技術文献】
【特許文献】
【０００５】
【特許文献１】特開２００８−１２１４７９号公報
【発明の概要】
【発明が解決しようとする課題】
【０００６】
特許文献１に開示されたスクリュ圧縮機のシール装置は、スクリュロータの軸部にスリーブが嵌め込まれ、そのスリーブにリップシールが接触する構造を有している。通常、このような構造では、軸部とスリーブとの間からの流体の漏出を防止するため、軸部とスリーブとは締り嵌めによって嵌合されている。
【０００７】
締り嵌めによって嵌合されているスリーブを取り外すことは容易ではない。そのようなスリーブを取り外すときは、バーナでスリーブを炙るなどしてスリーブを熱膨張させる必要があり、作業が煩雑である。さらに、そのようなスリーブの取り外し作業では、スリーブと隣接した軸受も加熱されるおそれがある。軸受は過度に加熱されると変形し、寸法が変化して再使用できなくなる場合があり、その場合、軸受を交換する必要がある。従って、スリーブの交換に加えて軸受の交換に伴う工数およびコストが増える。
【０００８】
本発明は、シール装置のスリーブを容易に取り外すことができる流体機械およびそのスリーブの取り外し方法を提供することを課題とする。
【課題を解決するための手段】
【０００９】
本発明の第１の態様は、スクリュロータ本体を収容するロータ室を画定するロータケーシングと、前記スクリュロータ本体から前記ロータケーシングを貫通して延びる軸部と、前記ロータ室外で前記軸部を回転可能に支持する軸受と、前記軸部の径方向に間隔をおいて当該軸部の周囲に配置される筒状部材であり、前記軸部の軸方向において前記軸受に対して前記ロータ室と反対側に配置され、前記軸受の移動を規制する軸受カバーと、前記軸部に締まり嵌めによって嵌合される筒状部材であるスリーブと、前記軸受カバーと前記スリーブとの間を軸封するリップシールとを備え、前記スリーブには、前記軸方向において前記軸受のある側と反対側の部分に、前記径方向の段差を有する段差部が設けられている、流体機械を提供する。
【００１０】
この構成によれば、スリーブの段差部を介して軸方向の引き抜き力をスリーブに加えることができるため、スリーブをバーナ等で加熱して熱膨張させることなく容易に軸部から引き抜くことができる。そのため、軸受が熱変形するおそれもなく、不要な軸受の交換はなくなる。上記構成では、少なくともリップシールとスリーブとによってシール装置が構成される。このようなシール装置では、リップシールとスリーブとが接触するため、スリーブが摩耗することがある。従って、スリーブの摩耗に伴い、スリーブの交換が必要となることから、このように軸受を熱変形させることなくスリーブを容易に取り外すことのできる構造は有用である。
【００１１】
前記段差部は、前記径方向内側へ凹の形状を有する凹部であってもよい。
【００１２】
この構成によれば、凹部を介して軸方向の引き抜き力をスリーブに加えることができる。特に、段差部が凹部であるため、既存のスリーブを切削加工するなどして段差部を簡易に形成できる。
【００１３】
前記段差部は、前記径方向外側へ凸の形状を有する凸部であってもよい。
【００１４】
この構成によれば、凸部を介して軸方向の引き抜き力をスリーブに加えることができる。特に、段差部が凸部であるため、凸部の高さや幅を調整することで必要な段差を確保できる。そのため、スリーブに対して必要な引き抜き力を加え易く、凸部に対する引き抜き力を付加する種々の方法でスリーブを引き抜くことができる。
【００１５】
前記軸受カバーを前記軸方向に引き抜く際、前記凸部の高さは、前記軸受カバーと当接する高さであってもよい。また、前記凸部の高さは、前記凸部の前記軸方向において前記軸受のある側の面が前記軸受カバーと当接することのできる高さであってもよい。また、前記凸部は、前記軸受カバーを前記軸方向に引き抜く際、前記凸部の前記軸方向において前記軸受のある側の面が前記軸受カバーと当接する位置に、設けられてもよい。
【００１６】
これらの構成によれば、軸受カバーを軸方向に引き抜いて取り外すとき、または、スリーブを軸方向に引き抜いて取り外すとき、軸受カバーとスリーブとが当接するため、軸受カバーとスリーブとに同時に引き抜き力を作用させることができる。従って、軸受カバーとスリーブとを一緒に取り外すことができ、取り外し作業を簡略化できる。
【００１７】
前記リップシールと前記軸受カバーとを一緒に引き抜くことを可能にする取出部材をさらに備え、前記取出部材は、前記軸受カバーに取り付けられ、前記軸方向において前記リップシールに対して前記ロータ室と同じ側に配置され、前記軸受カバーとともに前記軸方向に移動して前記リップシールと当接してもよい。
【００１８】
この構成によれば、軸受カバーを軸方向に引き抜いて取り外すとき、取出部材がリップシールと当接するため、軸受カバーとリップシールとに同時に引き抜き力を作用させることができる。従って、軸受カバーとリップシールとを一緒に取り外すことができ、取り外し作業を簡略化できる。
【００１９】
前記軸受カバーは、前記ロータケーシングに取り付けられるためのフランジ部を有し、前記フランジ部には、前記軸受カバーを前記ロータケーシングから取り外すための押しボルト用のねじ孔が設けられていてもよい。
【００２０】
この構成によれば、押しボルトをフランジ部のねじ孔に挿入し、スクリュジャッキのようにして軸受カバーとロータケーシングとの間に隙間を設けることができる。そしてその隙間を利用して軸受カバーを引っ張ることで軸受カバーをロータケーシングから取り外すことができる。
【００２１】
本発明の第２の態様は、前記流体機械が備えているスリーブの取り外し方法であって、前記スリーブの前記段差部に引掛具を引掛け、前記引掛具を前記軸方向に引っ張ることで前記スリーブを引き抜く、スリーブの取り外し方法を提供する。
【００２２】
この方法によれば、流体機械において、スリーブが段差部を備えるため、段差部にそれと係合する任意形状の引掛具を引掛け、引掛具を介して引き抜き力をスリーブに加えることができる。従って、スリーブを容易に取り外すことができる。
【００２３】
本発明の第３の態様は、スクリュロータ本体を収容するロータ室を画定するロータケーシングと、前記スクリュロータ本体から前記ロータケーシングを貫通して延びる軸部と、前記ロータ室外で前記軸部を回転可能に支持する軸受と、前記軸部の径方向に間隔をおいて当該軸部の周囲に配置される筒状部材であり、前記軸部の軸方向において前記軸受に対して前記ロータ室と反対側に配置され、前記軸受の移動を規制する軸受カバーと、前記軸部に締まり嵌めによって嵌合される筒状部材であるスリーブと、前記軸受カバーと前記スリーブとの間を軸封するリップシールとを備え、前記スリーブには、前記軸方向において前記軸受のある側と反対側の部分に、前記径方向の段差を有する段差部が設けられており、前記段差部は、前記径方向外側へ凸の形状を有する凸部であり、前記凸部は、前記軸受カバーを前記軸方向に引き抜く際、前記凸部の前記軸方向において前記軸受のある側の面が前記軸受カバーと当接する位置に、設けられており、前記リップシールと前記軸受カバーとを一緒に引き抜くことを可能にする取出部材をさらに備え、前記取出部材は、前記軸受カバーに取り付けられており、前記軸方向において前記リップシールに対して前記ロータ室と同じ側に配置され、前記軸受カバーは、前記ロータケーシングに取り付けられるためのフランジ部を有し、前記フランジ部には、前記軸受カバーを前記ロータケーシングから前記軸方向へ取り外すための押しボルト用のねじ孔が設けられている、流体機械におけるスリーブの取り外し方法であって、前記押しボルト用のねじ孔に押しボルトを挿入することで、前記軸受カバーと前記ロータケーシングとの間の隙間を拡げ、前記隙間に引掛具を引掛け、前記引掛具を前記軸方向に引っ張ることで、前記軸受カバーを前記軸方向に引っ張り、前記軸受カバーの移動に伴って前記取出部材が前記リップシールと当接して前記リップシールを前記軸受カバーとともに前記軸方向に移動させ、前記軸受カバーを前記軸方向に移動させることで、前記軸受カバーを前記スリーブの前記凸部と当接させ、前記軸受カバーと前記リップシールと前記スリーブとを一緒に取り外す、スリーブの取り外し方法を提供する。
【００２４】
この方法によれば、流体機械において、押しボルトおよび引掛具を利用してロータケーシングから軸受カバーを容易に取り外すことができ、軸受カバーを軸方向に引っ張ることで、軸受カバーとリップシールとスリーブと一緒に取り外すことができる。従って、取り外し作業を簡略化できる。
【００２５】
本発明の第４の態様は、スクリュロータ本体を収容するロータ室を画定するロータケーシングと、前記スクリュロータ本体から前記ロータケーシングを貫通して延びる軸部と、前記ロータ室外で前記軸部を回転可能に支持する軸受と、前記軸部の径方向に間隔をおいて当該軸部の周囲に配置される筒状部材であり、前記軸部の軸方向において前記軸受に対して前記ロータ室と反対側に配置され、前記軸受の移動を規制する軸受カバーと、前記軸部に締まり嵌めによって嵌合される筒状部材であるスリーブと、前記軸受カバーと前記スリーブとの間を軸封するリップシールとを備え、前記スリーブには、前記軸方向において前記軸受のある側と反対側の部分に、前記径方向の段差を有する段差部が設けられており、前記段差部は、前記径方向外側へ凸の形状を有する凸部であり、前記凸部は、前記軸受カバーを前記軸方向に引き抜く際、前記凸部の前記軸方向において前記軸受のある側の面が前記軸受カバーと当接する位置に、設けられており、前記リップシールと前記軸受カバーとを一緒に引き抜くことを可能にする取出部材をさらに備え、前記取出部材は、前記軸受カバーに取り付けられており、前記軸方向において前記リップシールに対して前記ロータ室と同じ側に配置され、前記軸受カバーは、前記ロータケーシングに取り付けられるためのフランジ部を有し、前記フランジ部には、前記軸受カバーを前記ロータケーシングから前記軸方向へ取り外すための押しボルト用のねじ孔が設けられている、流体機械における前記スリーブの取り外す方法であって、前記押しボルト用のねじ孔に押しボルトを挿入することで、前記軸受カバーを前記軸方向へ移動させ、前記軸受カバーの移動に伴って前記取出部材が前記リップシールと当接して前記リップシールを前記軸受カバーとともに前記軸方向に移動させ、前記軸受カバーを前記軸方向に移動させることで、前記軸受カバーを前記スリーブの前記凸部と当接させ、前記軸受カバーと前記リップシールと前記スリーブとを一緒に取り外す、スリーブの取り外し方法を提供する。
【００２６】
この方法によれば、流体機械において、押しボルトを利用してロータケーシングから軸受カバーを容易に取り外すことができ、軸受カバーを軸方向に引っ張ることで、軸受カバーとリップシールとスリーブと一緒に取り外すことができる。従って、取り外し作業を簡略化できる。
【発明の効果】
【００２７】
本発明によれば、流体機械において、シール装置のスリーブが段差部を備えるため、段差部を介して引抜き力を加えることでスリーブを容易に取り外すことができる。
【図面の簡単な説明】
【００２８】
【図１】本発明の第１実施形態に係るスクリュ圧縮機の部分断面図。
【図２】図１のシール装置付近の模式的な拡大図。
【図３】図２のシール装置の取り外し方の第１工程を示す模式的な部分断面図。
【図４】図２のシール装置の取り外し方の第２工程を示す模式的な部分断面図。
【図５】本発明の第２実施形態に係るスクリュ圧縮機のシール装置付近を示す模式的な部分断面図。
【図６】図５のシール装置の変形例を示す模式的な部分断面図。
【図７】本発明の第３実施形態に係るスクリュ圧縮機のシール装置付近の模式的な拡大図。
【図８】本発明の第３実施形態に係るスクリュ圧縮機のスリーブと軸受カバーとの位置関係を示す模式図。
【発明を実施するための形態】
【００２９】
以下、添付図面を参照して本発明の実施形態を説明する。
【００３０】
図１は、本発明の第１実施形態に係るスクリュ圧縮機（流体機械）１の部分断面図である。以下では、流体機械の一例としてスクリュ圧縮機１について説明するが、本技術はスクリュ圧縮機１以外にそれと同様の機構を有するスクリュ膨張機にも適用可能である。
【００３１】
スクリュ圧縮機１は、ロータ室Ｓ１を画定するロータケーシング１０を備える。詳細には、ロータケーシング１０は、スクリュロータ１６を収容する本体ケーシング１１と、軸受１７を収容する吐出ケーシング１２とに分割される。本体ケーシング１１および吐出ケーシング１２はねじ止めによって固定されており、これらの間から流体が漏出しないように図示されないパッキンで密閉されている。吐出ケーシング１２には、本体ケーシング１１と反対側に蓋体１３が取り付けられている。蓋体１３は、吐出ケーシング１２とねじ止めによって固定されており、これらの間から流体が漏出しないように図示されないパッキンで密閉されている。従って、蓋体１３と吐出ケーシング１２とによって、実質的に密閉空間となる軸受室Ｓ２が画定されている。また、スクリュ圧縮機１は、ロータケーシング１０とともにモータ室Ｓ３を画定するモータケーシング１４を備える。モータ室Ｓ３内には、モータ１５が収容されている。
【００３２】
ロータ室Ｓ１の内部には、雌雄一対のスクリュロータ１６が収容されている。本体ケーシング１１には、吸入口１１ａが設けられており、吸入口１１ａはスクリュロータ１６の図において左端部に連通している。流体は、吸入口１１ａからロータ室Ｓ１内に供給され、スクリュロータ１６によって圧縮される。なお、図１では吐出口が図示されていないが、スクリュロータ１６の図において右方向に流体は吐出される。以降、スクリュロータ１６の図において右側を吐出側、左側を吸込側という場合がある。
【００３３】
スクリュロータ１６は、スクリュの歯（不図示）を形成したスクリュロータ本体１６ａと、その回転軸となる軸部１６ｂ，１６ｃとを備える。スクリュロータ本体１６ａからは、吐出側と吸込側のそれぞれに軸部１６ｂ，１６ｃが延びている。吐出側の軸部１６ｂは、吐出ケーシング１２を貫通して軸受室Ｓ２まで延び、軸受室Ｓ２内にて軸受１７によって回転可能に支持されている。吸込側の軸部１６ｃは、ロータ室Ｓ１から本体ケーシング１１を貫通してモータ室Ｓ３まで延び、モータ室Ｓ３内にてモータ１５に機械的に接続されている。また、吸込側の軸部１６ｃは、軸受室Ｓ４内にて軸受１８によって回転可能に支持されている。
【００３４】
本体ケーシング１１において、軸受１８に隣接した位置には、軸部１６ｃの径方向に間隔をおいて軸部１６ｃの周囲に配置される概ね筒状の部材である軸受カバー１９が設けられている。詳細には、軸受カバー１９は、軸部１６ｃの軸方向において軸受１８に対してロータ室Ｓ１と反対側に配置されている。そのため、軸受カバー１９によって軸受１８の位置が規制されている。また、軸受カバー１９は、部分的にロータケーシング１０の径方向内側に配置されてロータケーシング１０と共に軸受室Ｓ４を画定している。軸受カバー１９には、その内面から径方向内側に突出した突出部１９ａが設けられており、突出部１９ａに隣接するようにシール装置２１が取り付けられている。シール装置２１は、軸受室Ｓ４を密閉するための装置である。
【００３５】
図２は、図１のシール装置２１付近の模式的な拡大図を示している。なお、図２は説明を明瞭にするため模式図として示されている。従って、図２では、各構成の形状および位置等が図１と対応していない場合がある。
【００３６】
シール装置２１は、軸部１６ｃに締まり嵌めによって嵌合されている概ね筒状の部材であるスリーブ２２と、シール部材として機能するリップシール２３とを備える。なお、締まり嵌めの定義はＪＩＳ Ｂ ０４０１の規定に準じるものとする。スリーブ２２には、軸部１６ｃの軸方向において軸受１８のある側と反対側の端部に、軸受１８側に向けた当接面２２ｂを有する凸部（段差部）２２ａが設けられている。凸部２２ａは、軸部１６ｃの径方向外側へ凸の形状を有する。本実施形態では、凸部２２ａは、軸部１６ｃの周囲に３６０°連続的に設けられている。リップシール２３は、軸受カバー１９とスリーブ２２との間においてリップ部がスリーブ２２と接触するように配置され、軸受カバー１９とスリーブ２２との間を軸封する。本実施形態では、リップシール２３としてテフロン（登録商標）のリップシールを採用し、スリーブ２２として軸受鋼のスリーブを採用している。ただし、本技術の適用に際し、リップシール２３およびスリーブ２２の種類および材質は特に限定されない。
【００３７】
また、径方向において軸受カバー１９とロータケーシング１０との間にはＯリング２０が配置されている。Ｏリング２０は、軸受カバー１９とロータケーシング１０との間から流体が漏出することを防止する機能を有している。
【００３８】
軸部１６ｃの軸方向から見ると、凸部２２ａの当接面２２ｂは、軸受カバー１９と該軸方向で接する大きさである。即ち、図２に示すスリーブ２２と軸受カバー１９との干渉幅ｄは０以下とならず、軸受カバー１９を引き抜く際に軸受カバー１９とスリーブ２２とが当接するように凸部２２ａの高さは設定されている。換言すると、凸部２２ａの高さは、凸部２２ａの軸方向において軸受１８のある側の面（当接面２２ｂ）が軸受カバー１９と当接する高さである。
【００３９】
軸受カバー１９は、リップシール２３と当接してリップシール２３と軸受カバー１９とを一緒に引き抜くための取出部材２４を備える。取出部材２４は、略環状の部材であり、軸受カバー１９の内側に取り付けられている。また、取出部材２４は、軸部１６ｃの軸方向においてリップシール２３に対してロータ室Ｓ１（図１参照）と同じ側に配置されている。即ち、図２において、取出部材２４は、リップシール２３に対して軸受のある側の軸受室Ｓ４内に配置されている。
【００４０】
軸受カバー１９は、ロータケーシング１０に取り付けられるためのフランジ部１９ｂを有している。フランジ部１９ｂには、軸受カバー１９をロータケーシング１０から軸方向へ取り外すための押しボルト５（図３参照）用のねじ孔１９ｃが複数個設けられている。ねじ孔１９ｃはフランジ部１９ｂを貫通している。
【００４１】
以下では、上記構成を有するスクリュ圧縮機１のシール装置２１において、スリーブ２２を取り外す方法の流れを説明する。なお、押しボルト５は複数設けられているが代表的に一つを取り上げて説明する。
【００４２】
まず、図３に示すように、押しボルト５を準備し、軸受カバー１９のフランジ部１９ｂに設けられたねじ孔１９ｃに挿入する。押しボルト５は、フランジ部１９ｂの厚みよりも長く、ねじ孔１９ｃから挿入した際にフランジ部１９ｂを貫通する長さである。図３に示す押しボルト５をねじ孔１９ｃに挿入する前の状態では、スリーブの凸部２２ａは、軸部１６ｃの軸方向において、軸受カバー１９の突出部１９ａよりも所定距離Ｄを離してモータ１５側に配置されている。即ち、スリーブ２２の凸部２２ａは、軸部１６ｃの軸方向において、軸受カバー１９の突出部１９ａよりも所定距離Ｄを離して図において左側に配置されている。
【００４３】
次に、図４に示すように、押しボルト５を深く挿入してロータケーシング１０に達した後、更にねじ込むと、軸受カバー１９とロータケーシング１０との間の隙間Ｃが拡がる。発生した隙間Ｃに端部の軸方向断面がＬ字型（鉤形）の引掛具６の当該端部を挿入し、軸受カバー１９に引掛具６を引掛ける。そして、引掛具６を軸受カバー１９に引掛けた状態で引掛具６を軸部１６ｃの軸方向（図４の矢印参照）に引っ張ることで引抜き力を作用させて、軸受カバー１９が該方向に移動される。軸受カバー１９が該方向に移動されると、取出部材２４に押されてリップシール２３も一緒に移動される。所定距離Ｄ（図３参照）だけ移動されると、軸受カバー１９の突出部１９ａがスリーブ２２の凸部２２ａの当接面２２ｂに当接する。その状態でさらに引掛具６を引っ張り続けると、スリーブ２２は軸受カバー１９に押されて移動され、即ち、軸受カバー１９とリップシール２３とスリーブ２２とが一緒に移動される。従って、軸受カバー１９とリップシール２３とスリーブ２２とを一緒に引き抜くことができる。ここで、引掛具６は、軸方向断面がＬ字型の端部が一つの場合で説明しているがこれに限らず、当該端部を周方向に複数個備えているものであってもよい。この場合、引掛具６の複数の端部が回転対称に設けることができる。
【００４４】
以下、本実施形態によって得られる効果を説明する。
【００４５】
本実施形態によれば、スリーブ２２の凸部２２ａの当接面２２ｂを介して引き抜き力をスリーブ２２に加えることができるため、スリーブ２２をバーナ等で加熱して熱膨張させることなく容易に軸部１６ｃから引き抜くことができる。そのため、軸受１８が熱変形するおそれもなく、不要な軸受１８の交換がなくなる。特に、リップシール２３を用いたシール装置２１では、リップシール２３のリップ部とスリーブ２２とが接触するため、スリーブ２２が摩耗することがある。従って、スリーブ２２の摩耗に伴い、スリーブ２２の交換が必要となることから、このように軸受１８を熱変形させることなくスリーブ２２を容易に取り外すことのできる構造は有用である。
【００４６】
また、本実施形態によれば、スリーブ２２の設計の際にスリーブ２２の凸部２２ａの高さや幅を調整することで必要な当接面２２ｂの面積を確保できる。そのため、スリーブ２２に対して必要な引き抜き力を加え易く、一層確実にスリーブを引き抜くことができる。
【００４７】
また、本実施形態によれば、軸受カバー１９を軸方向に引き抜いて取り外すとき、軸受カバー１９がスリーブ２２と当接するため、軸受カバー１９とスリーブ２２とに同時に引き抜き力を作用させることができる。従って、軸受カバー１９とスリーブ２２とを一緒に取り外すことができ、取り外し作業を簡略化できる。
【００４８】
また、本実施形態によれば、軸受カバー１９を軸方向に引き抜いて取り外すとき、取出部材２４がリップシール２３と当接するため、軸受カバー１９とリップシール２３とに同時に引き抜き力を作用させることができる。従って、軸受カバー１９とリップシール２３とを同時に取り外すことができ、取り外し作業を簡略化できる。
【００４９】
また、本実施形態によれば、押しボルト５をフランジ部１９ｂのねじ孔１９ｃに挿入し、スクリュジャッキのようにして軸受カバー１９とロータケーシング１０との間に隙間Ｃを設けることができる。そしてその隙間Ｃに引掛具６を挿入して引っ張ることで軸受カバー１９をロータケーシング１０から取り外すことができる。
【００５０】
（第２実施形態）
図５に示す本実施形態のスクリュ圧縮機１は、スリーブ２２の形状が第１実施形態とは異なる。スリーブ２２に関する構成以外は、図２の第１実施形態のスクリュ圧縮機１の構成と実質的に同じである。従って、図２に示した構成と同じ部分については同じ符号を付して説明を省略する。
【００５１】
本実施形態では、スリーブ２２の長さが第１実施形態よりも長い。従って、スリーブ２２が軸部１６ｃに装着された状態で、スリーブ２２の凸部２２ａは、軸受カバー１９内に収容されず、外部に露出している。
【００５２】
本実施形態では、スリーブ２２を取り外すとき、端部の軸方向断面がＬ字型（鉤形）の引掛具７の当該端部を凸部２２ａの当接面２２ｂに引掛けた状態で、引掛具７を軸部１６ｃの軸方向（図５の矢印参照）に引っ張り、当接面２２ｂを介してスリーブ２２に直接引き抜き力を作用させる。そのため、凸部２２ａの高さは、引掛具７を引掛け、必要な引き抜き力を作用させることができる程度の高さである。必要な引き抜き力はスリーブ２２と軸部１６ｃとの嵌合強度に依存するが、本実施形態では、凸部２２ａの高さは例えば２ｍｍ程度である。また、スリーブ２２に引き抜き力を均等に作用させるべく、凸部２２ａ及び引掛具７のＬ字型（鉤形）の端部は、回転対称に複数個設けられていることが好ましい。さらに好ましくは、凸部２２ａは軸部１６ｃの周囲に連続的に設けられている。
【００５３】
本実施形態によれば、スリーブ２２に直接引き抜き力を作用させることができるため、確実にスリーブ２２を引き抜くことができる。
【００５４】
図６は、第２実施形態の変形例を示している。本変形例では、凸部２２ａ（図５参照）ではなく凹部２２ｃがスリーブ２２に設けられている。凹部２２ｃは、軸部１６ｃの径方向内側へ凹の形状を有する。凹部２２ｃの深さは、スリーブ２２の板厚の半分程度である。本実施形態では、例えば５ｍｍの板厚のスリーブ２２に対して、凹部２２ｃの深さは２ｍｍ程度である。
【００５５】
本変形例によれば、凹部２２ｃの当接面２２ｄを介して引き抜き力をスリーブ２２に加えることができる。特に、スリーブ２２を形成する際、既存のスリーブを切削加工するなどして凹部２２ｃを簡易に形成できる。
【００５６】
（第３実施形態）
図７及び図８に示す本実施形態のスクリュ圧縮機１は、軸受カバー１９の形状およびスリーブ２２の形状が第１実施形態とは異なる。軸受カバー１９およびスリーブ２２に関する構成以外は、図２の第１実施形態のスクリュ圧縮機１の構成と実質的に同じである。従って、図２に示した構成と同じ部分については同じ符号を付して説明を省略する。なお、図８では、図示を明瞭にするため、軸受カバー１９の突出部１９ｄと、スリーブ２２のみを模式的に示している。
【００５７】
本実施形態では、スリーブ２２の凸部２２ａは、スリーブ２２の延びる方向のモータ１５側から見て、軸中心まわりの複数の位置に（本実施形態では４つ）設けられている。また、軸受カバー１９の突出部１９ｄもスリーブ２２の延びる方向から見て軸中心まわりの複数の位置に（本実施形態では４つ）設けられている。凸部２２ａは、軸受カバー１９を軸方向に引き抜く際、凸部２２ａの軸方向において軸受１８のある側の当接面２２ｂが軸受カバー１９の突出部１９ｄと当接する位置に移動することができる。このように、凸部２２ａおよび突出部１９ｄの形状は、３６０°連続的に設けられていなくてもよい。好ましくは、凸部２２ａおよび突出部１９ｄは、軸中心まわりに回転対称に設けられている。従って、凸部２２ａおよび対応する突出部１９ａの数は特に限定されない。
【００５８】
以上より、本発明の具体的な実施形態およびその変形例について説明したが、本発明は上記形態に限定されるものではなく、この発明の範囲内で種々変更して実施することができる。例えば、個々の実施形態の内容を適宜組み合わせたものを、この発明の一実施形態としてもよい。また、例えば、第３実施形態においては、図８に示すような軸心周りの複数の突出部１９ｄを軸受カバー１９に設けているが、このような複数の突出部１９ｄを軸受カバー１９に変えて、別途円筒状の引掛具の先端部に設けるようにしてもよい。
【符号の説明】
【００５９】
１  スクリュ圧縮機（流体機械）
５  押しボルト
６，７  引掛具
１０  ロータケーシング
１１  本体ケーシング
１１ａ  吸入口
１２  吐出ケーシング
１３  蓋体
１４  モータケーシング
１５  モータ
１６  スクリュロータ
１６ａ  スクリュロータ本体
１６ｂ，１６ｃ  軸部
１７，１８  軸受
１９  軸受カバー
１９ａ，１９ｄ  突出部
１９ｂ  フランジ部
１９ｃ  ねじ孔
２０  Ｏリング
２１  シール装置
２２  スリーブ
２２ａ  凸部（段差部）
２２ｂ  当接面
２２ｃ  凹部（段差部）
２３  リップシール
２４  取出部材
【図１】
2019065718.tif 000003
【図２】
2019065718.tif 000004
【図３】
2019065718.tif 000005
【図４】
2019065718.tif 000006
【図５】
2019065718.tif 000007
【図６】
2019065718.tif 000008
【図７】
2019065718.tif 000009
【図８】
2019065718.tif 000010